(57)【特許請求の範囲】
【請求項１】
第１の筺体と、第２の筺体と、
前記第１の筺体と第２の筺体とを互いに回動可能に連結した軸受部と、
前記軸受部に取付けられるとともに、前記第１の筺体、前記第２の筺体を予め定めた鈍角の開放角度まで自動的に開放する操作釦が当該軸受部の軸方向において筺体側面よりも突出するよう配置された開閉装置と、
前記第１の筺体に配置されたアンテナと、当該アンテナを収容する筒状部と、を備えた電子機器であって、
前記筒状部は、前記操作釦と近接して配置されるとともに、前記軸受部の筺体側面において前記操作釦よりも突出するように形成したことを特徴とする電子機器。
【発明の詳細な説明】
【０００１】
【発明の属する技術分野】
この発明は、例えば、携帯電話機、ＰＨＳ（Personal Handyphone System）、電子手帳、ＰＤＡ（Personal Digital Assistant）、その他の各種の折畳可能な電子機器に関するものである。
【０００２】
【従来の技術】
一般に、折畳式の電子機器は、第１、第２の筐体と、これらの筐体を互いに回動自在に連結（枢着）する軸受部とを有している。通常、この種の電子機器において、第１、第２の筐体を互いに開放したり、閉じたりする場合、手などを使い、それらの筐体を手動で開閉するのが普通である。
【０００３】
また、近年、軸受部にスプリングを装着し、操作釦を操作することによって、第１、第２の筐体が自動的に開放されるものも開発されている。
【０００４】
【発明が解決しようとする課題】
しかしながら、従来、使用されているこの種の折畳式の電子機器にあっては、いずれも操作釦を操作し、スプリングの力によって第１、第２の筐体を開放した場合、第１、第２の筐体が予め定めた最大開放角度まで全開されてしまい、途中ではいずれの角度でも全く停止しないものであった。
【０００５】
ところで、例えば、携帯電話機などにおいて、通常の使用状態では、第１、第２の筐体をほぼ一直線状になるように開放して使用することが多いことから、前述した構成の折畳式の電子機器にあっても、操作釦を操作したとき、第１、第２の筐体をこのように開放させるように構成したものが多い。
しかしながら、このような構成の場合、第１の筐体(下側筐体)を机上において、第２の筐体（上側筐体）に設けた表示器などを見ながら、第１の筐体に設けたキーボードなどを操作して使用する場合には、その表示器などが机上面に対して垂直上（天井）方向に向いている状態で配置されてしまい、しかもキーボードなどが揺動し易いので、非常に使用しづらいという問題があった。
【０００６】
そこで、この発明は、上記した事情に鑑み、操作釦を操作したとき、予め定めた開放角度まで自動的に開放され、さらにその開放角度以上については手動で任意角度まで開放できる、換言すれば、手で把持して使用（通話）するときばかりか机上で使用するときでも操作性に優れた電子機器を提供することを目的とするものである。
【０００７】
【課題を解決するための手段】
この発明の電子機器は、第１の筺体と、第２の筺体と、前記第１の筺体と第２の筺体とを互いに回動可能に連結した軸受部と、前記軸受部に取付けられるとともに、前記第１の筺体、前記第２の筺体を予め定めた鈍角の開放角度まで自動的に開放する操作釦が当該軸受部の軸方向において筺体側面よりも突出するよう配置された開閉装置と、前記第１の筺体に配置されたアンテナと、当該アンテナを収容する筒状部と、を備えた電子機器であって、前記筒状部は、前記操作釦と近接して配置されるとともに、前記軸受部の筺体側面において前記操作釦よりも突出するように形成したことを特徴としている。
【０００８】
この構成により、開閉装置の操作釦が、若干、軸受部より突出していても、この突出部分に近接してアンテナ収納用の筒状部が存在し、そのアンテナ収納用の筒状部が更に第１の筐体の外面側より突出するように形成されているため、不用意に開閉装置の操作釦が操作されるのを、このアンテナ収納部用の筒状部によって防止することができる。これにより、開閉装置の操作釦を操作できるという作用を有する。
【００１７】
【発明の実施の形態】
以下、この発明に係る実施の形態について、添付図面を参照しながら詳細に説明する。
図１は、この発明の電子機器の一実施形態に係る携帯電話機を示すものであり、この携帯電話機は、第１の筐体（以下、第１筐体とよぶ）１及び第２の筐体（以下、第２筐体とよぶ）２と、これら第１筐体１及び第２筐体２を互いに回動可能に連結（枢着）する軸受部３とを備えている。
【００１８】
このうち、第１筐体１には、テンキーや各種機能のキーなどからなるキー１１の他に、送話器１２やアンテナ１３などがそれぞれ設けられている。一方、第２筐体２には、表示器２１や受話器２２などがそれぞれ設けられている。
ここで、アンテナ１３は、第１筐体１の軸受部３に近接する位置に形成したアンテナ収納用の筒状部１Ａから第１筐体１の長手方向に出入自在に取付けられている。一方、筒状部１Ａは、図２に示すように、その外周の一部が、第１筐体１の側面及び下面（外面）よりそれぞれ若干外部に突出するような状態で第１筐体１と一体に形成されている。
【００１９】
軸受部３には、後に詳述する開閉装置４が取付けられており、操作釦４９を操作することにより、第１筐体１及び第２筐体２が、開閉装置４の作用で自動的に図３（Ａ）の状態から図３（Ｂ）の状態にそれぞれ開放されるように構成されている。そして、図３（Ｂ）の状態において、第１筐体１及び第２筐体２に対してさらに開放する方向の力を付加することにより、この第１筐体１及び第２筐体２が、同図（Ｂ）の状態から同図（Ｃ）の状態に手動でさらに開放させることができるように構成されている。
【００２０】
なお、ここで、図３（Ａ）は第１筐体１及び第２筐体２を完全に閉じた状態、同図（Ｂ）は第１筐体１を机上に置いて使用するのに適切なように、第１筐体１及び第２筐体２を予め定めた鈍角の開放角度（具体的には、１１５度から１３５度の間の任意の開放角度）に開放した状態を示す、同図（Ｃ）は第１筐体１及び第２筐体２をそれぞれ口、耳に近接させて使用するのに適切なように第１筐体１及び第２筐体２を更に大きな最大開放角度（具体的には、１６０度以上）に開放した状態を示している。
【００２１】
次に、本実施の形態に係る携帯電話機の軸受部３に装着された開閉装置４の構成について、図４〜図６を用いて詳細の説明する。
開閉装置４は、大略構成として、第１筐体１及び第２筐体２を予め定めた鈍角の開放角度まで自動的に開放する開閉部４Ａと、後述する押釦４９によりこの開閉部４Ａの動作開始を行わせる押圧部４Ｂとで構成されている。
【００２２】
（Ｉ）開閉部４Ａについて：
開閉装置４は、図４及び図５に示すように、軸受部３において、略円筒状の可動ケース４０（図５参照）を有しており、この可動ケース４０は、第２筐体２側に回転不可能に固定された（固着）状態で取付けられている。
【００２３】
可動ケース４０には、図５において、その左端面に開口部４０Ａが設けられているとともに、外周側面には開口部４０Ａから伸びた溝部４０Ｂが設けられている。また、この可動ケース４０は、右端面が開放されておらず、有底筒状を呈している。そして、この可動ケース４０には、左端面の開口部４０Ａから金属線材よりなりコイル状のばね５１が圧縮された状態で収納されている。
【００２４】
そして、このばね５１の左端部側には、図５に示すように、ばね５１によって押圧付勢される可動体４１が配置されている。この可動体４１は、その外側面に形成した突起部４１Ａを可動ケース４０に形成した溝部４０Ｂに摺動可能に嵌合（例えばセレーション係合など）することにより、可動ケース４０に対しては回動不可能であって、軸方向に対してのみ移動可能な状態で可動ケース４０の内部に収納されている。
【００２５】
そして、図５において、可動体４１の左端面、即ち、ばね５１に対向・当接する面とは反対側の面には、略三角形状の突出した可動カム（Ａ）が一体に形成されている。そして、この可動体４１の可動カム（Ａ）には、予め定めた鈍角の開放角度まで第２筐体２が開放されたとき、そこで一旦留まってそれ以上開放しないようにするための係止部として先端部Ａ１を設けている。また、可動体４１の左端面側には、中央部に軸方向に平行な中空部が形成された略円筒状の摺動体４２が配置されている。
【００２６】
この摺動体４２には、図４、図５及び図６に示すように、可動体４１に対向する右端面（図６では上端面）の外周部に、予め定めた鈍角の開放角度まで第２筐体２が開放された後に手動で第２筐体２を閉じたとき、この第２筐体２が開放しないようにするための係止部として先端部Ｂ１を設けている。また、この摺動体４２には、先端部Ｂ１を境として互いに隣接する２つの傾斜部部Ｂ２、Ｂ３を有する固定カム（Ｂ）が一体に形成されている。なお、ここで、第１、第２筐体１、２が閉じられた通常の状態では、可動体４１に形成した前述の可動カム（Ａ）の先端部Ａ１（図７および図８参照）が固定カム（Ｂ）の下側の傾斜部Ｂ２に弾性的に当接するようになっている。
【００２７】
そして、摺動体４２の中央部に形成した軸方向に開口する中空部には、略円柱状の反転体４３が挿入されて配置されており、この反転体４３の右端面の外周部には、上方向に傾斜した傾斜部Ｃ１を有する反転カム（Ｃ）が、可動カム（Ａ）と対向するように一体に形成されている。
【００２８】
反転体４３の右端部の外周部に形成した前述の反転カム（Ｃ）の傾斜部Ｃ１は、第１、第２筐体１、２が閉じられた通常の状態で、図６に示すように、最も高い部分（図４、図５では、最も右側に位置する部分）が固定カム（Ｂ）の傾斜部Ｂ２と交差してこの傾斜部Ｂ２より若干高くなる（図４、図５では、より右側に位置する）ように形成されている。
【００２９】
また、反転カム（Ｃ）の傾斜部Ｃ１は、低い部分（図４、図５では、左側に位置する部分）が固定カム（Ｂ）の傾斜部Ｂ３と交差してこの傾斜部Ｂ３より若干高くなる（図４、図５では、右側に位置する）ように形成されている。
そして、反転カム（Ｃ）の傾斜部Ｃ１には、図６に示すように、低い部分（図４、図５では、左側に位置する部分）の終端に、ばね５１による弾性力が作用しても可動体４１がもはやそれ以上摺動しないようにするための阻止手段として凹部Ｃ３が形成されているとともに、途中の位置には、一旦可動体４１の摺動を阻止する阻止手段として係止用凹部Ｃ２が形成されている。
【００３０】
反転体４３には、図４及び図５において、左側に摺動体４２に形成した支持カム（Ｄ）に当接する解除カム（Ｅ）を有する略円板状の解除体４４が配置されている。この解除体４４は、金属線材製の復帰ばね５２によって常時一定（第２筐体２を開放する）方向の回転力が付与されている。
【００３１】
解除体４４には、図４及び図５において、左側に略円柱状の固定体４５が配置され、この固定体４５に反転体４３が装着されている。すなわち、反転体４３は、固定体４５に固定され、摺動体４２は、反転体４３に対し、周方向には常に一体であるが軸方向には摺動可能に装着されている。
【００３２】
固定体４５には、図４及び図５において、左側に一体に係合部４５Ａが形成されており、この係合部４５Ａが、略円筒状に形成された操作ケース４７に装着されるように構成されている。そして、固定体４５及び操作ケース４７のいずれか一方、または、両方が、軸受部３において第１筐体１に回転不可能な（固着）状態で結合されている。
【００３３】
固定体４５は、先に説明したように略円筒状に形成されており、その中心部には、軸方向に平行に貫通孔４５Ｂが形成されている。貫通孔４５Ｂには、解除軸４６が挿入され、その先端は、解除体４４に固定されている。
【００３４】
解除体４４は、復帰ばね５２によって、通常、解除カム（Ｅ）の最も高い部分が摺動体４２の支持カム（Ｄ）に当接し、摺動体４２を図４及び図５では最も右側（図６では最も高所）に位置するように作用させている。ところが、解除軸４６を操作し、解除体４４を復帰ばね５２の復帰力に抗して回転させると、解除カム（Ｅ）が回転して支持カム（Ｄ）から外れる。このため、摺動体４２が固定体４５の方向（図４では左方向、図１３では下方向）に摺動し、可動カム（Ａ）が固定カム（Ｂ）の傾斜部Ｂ２から反転カム（Ｃ）の傾斜部Ｃ１に弾接するようになる。すなわち、このようにして、第２の筐体１、２を互いに自動的に開放する開閉部４Ａを構成している。
【００３５】
（ＩＩ）押圧部４Ｂについて：
また、開閉装置４には、図５に示すように、操作ケース４７が設けられている。そして、この操作ケース４７には、操作体４８と、この操作体４８に一定の付勢力を与える金属線材のコイル状の操作復帰ばね５３がそれぞれ収納されている。操作体４８には、脚部４８Ａを有し、この脚部４８Ａの先端には、略三角形状の操作カム（Ｆ）が形成されている。
【００３６】
この操作カム（Ｆ）は、操作体４８を固定体４５の方向（図４、５では右側の方向、図１２、１３では上方向）に移動したとき、解除軸４６に形成した変換カム（Ｇ）の傾斜部Ｇ１に当接し、解除軸４６を解除の（筐体を閉じる）方向（図１３では右方向）に回転させる傾斜部Ｆ１を有する形状に形成されている。そして、図４及び図５において、操作体４８の右側面と操作ケース４７内部の壁部４７Ａとの間には、操作復帰ばね５３がやや圧縮された状態で操作体４８を図４及び図５の左側（図１２では下側）に復帰させるように挿入されている。
【００３７】
操作体４８には、図４及び図５において、左側に押釦４９が配置されている。そして、この押釦４９は、固定体４５の方向に移動可能な状態で、操作ケース４７の左側面の開口部に係止されている。別言すれば、この押釦４９の右側に形成した突起状の保持部には、操作体４８が装着され、これらの構成部品で押圧部４Ｂが形成されている。
【００３８】
なお、また、前述した開閉部４Ａと押圧部４Ｂとは、図４及び図５において、固定体４５の係合部４５Ａを操作ケース４７の右側に形成した開口部に係合させることによって互いに連結されており、開閉部４Ａの可動ケース４０と固定体４５との間には、ばね５１、可動体４１、摺動体４２、反転体４３、解除体４４、解除軸４６、復帰ばね５２が、略同一軸線上に配置されると共に、押圧部４Ｂの押釦４９、操作体４８、操作復帰ばね５３、及び、操作ケース４７も、略同一線上に配置されて開閉装置４が構成されている。
【００３９】
次に、本実施の形態に係る携帯電話機の開閉装置４について、その動作を、図７〜図１７を用いて、詳細に説明する。なお、ここで、図７〜図１７は、それぞれ、可動カムＡ、固定カムＢ、支持カムＤ、反転カムＣ、解除カムＥなどをそれぞれ周方向に展開して、相互の関係を分かり易く示したもの（カム線図に相当するもの）である。
【００４０】
［手での開放操作の場合］
先ず、初めに、手で第１、第２筐体１、２を把持しながら開放する場合について、主に図７〜図１１を参照しながら説明する。
（Ｉ）図３（Ａ）に示すように、第１、第２筐体１、２が互いに完全に閉じられた状態では、開閉装置４が、図７に示す状態にある。すなわち、この状態では、ばね５１によって図７中下方向へ弾性力が付勢された可動体４１の可動カムＡが、固定カムＢの傾斜部Ｂ２に弾接しており、この傾斜部Ｂ２は右下がりに傾斜しているので、可動体４１は右方向、すなわち、第２筐体２を第１筐体１側に閉じる方向に付勢されて保持されている（第１動作）。
【００４１】
（ＩＩ）この状態で、第２筐体２を手で開いた場合には、図８に示すように、可動体４１が、第２筐体２および可動ケース４０を介して、ばね５１による図中右方向への付勢力に抗して図中左方向に移動することになる（第２動作）。その結果、可動カムＡが固定カムＢの傾斜部Ｂ２から先端部Ｂ１を越えて傾斜部Ｂ３側に移行し、左下がり傾斜の傾斜部Ｂ３に弾接することになる。このため、可動体４１は図中左方向に移行し、第２筐体２に開く方向の付勢力が作用する。
【００４２】
（ＩＩＩ）そして、図９に示すように、可動カムＡが固定カムＢの傾斜部Ｂ３に沿って弾接摺動してある位置までくると、今度は、可動カムＡが、固定カムＢより可動カムＡに向けて突出している反転カムＣに弾接するようになる（第３動作）。これにより、同じように、反転カムＣに沿って弾接摺動するようになる。
【００４３】
（ＩＶ）そして、第２筐体２が、図３（Ｂ）に示す位置まで開放されると、可動カムＡの先端が、図１０に示すように、反転カムＣに設けた係止用凹部Ｃ２に嵌入されることになり（第４動作）、もはや、これ以上、ばね５１の付勢力では、第２筐体２を自動的に開放することができなくなる。すなわち、この状態で、一旦、第２筐体２の開放が阻止される。
【００４４】
（Ｖ）図３（Ｂ）の状態、すなわち、図１０の状態において、第２筐体２に、更に開く方向の力を手で加えると、可動カムＡの先端が反転カムＣの係止用凹部Ｃ２より脱出し、図１０の状態から図１１の状態に移行する（第５動作）。そして、図３（Ｃ）に示すように、第２筐体２を更に大きな開放角度まで開放することができる。
【００４５】
なお、第２筐体２を開放した状態で、これを閉じる場合には、第２筐体２に手で閉じる方向の力を加えることにより、図１１から、図１０、図９、図８、図７と順に、可動カムＡが反転カムＣ、固定カムＢに弾接摺動し、第２筐体２が閉じられる。
【００４６】
このように、本実施の形態によれば、図３（Ａ）に示す閉じられた第２筐体２を、可動カムＡが固定カムＢの先端部Ｂ１を越える位置まで開放するだけで、後は、自動的に第２筐体２を図３（Ｂ）に示す状態まで開放することができる。そして、この状態で、更に第２筐体２に開放する方向の力を手で加えることにより、図３（Ｃ）に示すように更に大きな開放角度まで手で開放することができる。
【００４７】
［押釦４９での開放操作の場合］
次に、第２筐体２を手で開放するのではなく、開放装置４の押釦４９（図４、図５参照）を操作して開放する場合について、主に図１２〜図１７を参照しながら説明する。
（Ｉ）先ず、第２筐体２が、図３（Ａ）に示すように、閉じられている状態では、図１２に示すように、図示外のばね５１によって図１２中下方へ弾性力が付勢された可動体４１の可動カムＡが固定カムＢの傾斜部Ｂ２に弾接して、可動体４１が図中右方向に付勢され、第２筐体２に閉じる方向の付勢力が作用している（第１動作）。
【００４８】
（ＩＩ）この状態で、図１３に示すように、押釦４９を押圧操作すると、押釦４９に保持された操作体４８が上方へ移動する。このため、操作体４８の操作カムＦの傾斜部Ｆ１が、解除軸４６の変換カムＧの傾斜部Ｇ１を押圧しながら、図中上方向、すなわち、図示外の固定体４５の方向に移行することになる（第２動作）。
【００４９】
（ＩＩＩ）そして、図１３に示すように、解除軸４６を係止した解除体４４が復帰ばね５２の復帰力に抗して、図中右方向に回転移動することになる（第３動作）。これにより、解除体４４の解除カムＥも図中右方向に回転移動し、支持カムＤの先端から外れることになる。従って、この状態で、摺動体４２が可動カムＡに付勢されて図中下方向、すなわち、図示外の固定体４５の方向（図４、５では左方向）に移行する。
【００５０】
（ＶＩ）このようにして、摺動体４２が、図１３に示すように可動カムＡに付勢され図中下方向、すなわち、固定体４５の方向に移行すると、可動カムＡが固定カムＢの傾斜部Ｂ２から外れて、これとは逆に傾斜した反転カムＣの傾斜部Ｃ１に弾接するようになる。これにより、可動体４１が図中左方向に摺動し（第４動作）、第２筐体２が、図３（Ａ）の状態から図３（Ｂ）の状態に順次自動的にばね５１の力によって開放される状態になる。
【００５１】
そして、このように、可動体４１が図１３中、左方向に摺動し、第２筐体２が、図３（Ａ）の状態から図３（Ｂ）の状態に順次自動的にばね５１の力によって開放される状態になると、以降、押釦４９の押圧を解除しても、そのまま、第２筐体２が自動的にばね５１の力によって図３（Ａ）の状態から図３（Ｂ）の状態に自動的に開放される状態を維持するようになる。
【００５２】
（Ｖ）ここで、押釦４９の押圧操作を解除すると、図１４に示すように、復帰ばね５２に付勢された解除体４４及び解除カムＥがそれぞれ図中左方向に移行する（第５動作）。そして、摺動体４２を図中上方向に押し上げるが、この際、既に可動カムＡの先端部Ａ１が固定カムＢの図中左側に位置する傾斜部Ｂ３に当接する位置に回転移動している。したがって、可動カムＡは、更に図中左方向に移動するように作用する。そのため、図示外の押釦４９の押圧解除に関わらず、そのまま、第２筐体２が自動的にばね５１の力によって図３（Ａ）の状態から図３（Ｂ）の状態に自動的に開放される状態を維持することになる。
【００５３】
（ＶＩＩ）そして、この状態で、解除カムＥの先端が、支持カムＤの先端に当接して元の状態に復帰する（第６動作）（図１４参照）と共に、操作体４８及び押釦４９が、解除体４４及び解除軸４６の変換カムＧを介した復帰ばね５２の付勢力及び復帰ばね５３の付勢力によって、それぞれ図中下方向に押し下げられ、押圧操作する前の元の状態に復帰する。
【００５４】
（ＶＩＩＩ）このようにして、押釦４９は復帰されるが、それとは関係なく、第２筐体２が、図３（Ｂ）に示す状態まで開放されれば、図１５、図１６に示すように、それぞれ、可動カムＡの先端が反転カムＣの傾斜部Ｃ１に形成した係止用凹部Ｃ２に嵌入され（第７動作）、ここで、一旦、第２筐体２の開放を停止する。
なお、ここで、図１５は、押釦２９を押圧したままの状態で、第２筐体２が、図３（Ｂ）に示す状態まで開放された場合の可動カムＡ、固定カムＢなどの位置関係を示している。一方、図１６は、押釦４９の押圧を解除した状態で、第２筐体２が、図３（Ｂ）に示す状態まで開放された場合の可動カムＡ、固定カムＢなどの位置関係を示している。いずれの場合も、可動カムＡは、その先端が反転カムＣの傾斜部Ｃ１に形成した係止用凹部Ｃ２に嵌入されており、ここで、一旦、第２筐体２の開放を停止する。
【００５５】
（ＩＸ）次に、第２筐体２を図３（Ｂ）に示す状態より更に大きな開放角度まで開放したい場合には、図３（Ｂ）に示す状態で、更に第２筐体２に大きな開放角度まで開放する方向の力を手で加える。これにより、可動カムＡの先端部を、反転カムＣの傾斜部Ｃ１に形成した係止用凹部Ｃ２より脱出させ、図１７に示すように、傾斜部Ｃ１の終端に設けた凹部Ｃ３に嵌入する（第８動作）まで第２筐体２を開放し、図３（Ｃ）に示す状態に開放することができる。
【００５６】
なお、また、第２筐体２を開放した状態（図３（Ｃ）の状態）から、閉じた状態（図３（Ａ）の状態）に戻す場合には、先に説明した手で開閉する場合と同様に、第２筐体２に閉じる方向の力を手で加えればよい。これにより、図１７の状態から図１６の状態を経て、図１２の状態に順次移行させることができ、第２筐体２を手で閉じることができる。
【００５７】
このように、本実施の形態によれば、押釦４９を押圧操作することにより、第２筐体２を予め定めた一定の開放角度に自動的に開放して、図３（Ｂ）に示すように、机上に載置して使用するのに適切なようにすることができる。
また、更に、第２筐体２を大きく開放したい場合には、第２筐体２に開く方向の力を手で加えることにより、図３（Ｃ）に示すように、送話器１２、受話器２２にそれぞれ口、耳を当てて使用するのに適切なように、更に大きな開放角度まで開放することができる。
【００５８】
例えば、この実施の形態の場合、予め定めた一定の開放角度を、１１５度から１３５度の範囲内で予め定めるようにしている。したがって、この状態で、机上に載置して使用するのに適切であると共に、その状態で第２筐体２を耳に当てたまま、第１筐体１に少し開く方向の力を加えるだけで、第２筐体２を更に大きく開放することができるので、その開放操作も非常に容易であり、いちいち両手を用いなくてもよいという利点を有する。
【００５９】
また、本実施の形態によれば、第１筐体１の軸受部３に近接する位置にアンテナ収納用の筒状部１Ａを第１筐体１の外側面より側方に突出するように一体に形成しているとともに、開閉装置４を押釦４９が軸受部３の筒状部１Ａに近接する側になるように軸受部３に装着するようにしている。
従って、押釦４９がアンテナ収納用筒状体１Ａより側方に突出していないため、押釦４９を押圧操作することにより自動的に第２筐体２を開放させることができる構成であるにも関わらず、押釦４９を不用意に押圧して第２筐体２が自動的に開放されるのを未然に防止する構成のものが簡単な構成で実現できるという利点を有する。
なお、本実施の形態では、第１筐体１にアンテナ収納用の筒状部１Ａを形成し、この筒状部１Ａを開閉装置４の押釦４９より若干側方に突出するように構成しているが、押釦４９は、それ自体を筐体の側面より突出しないように軸受部３に装着してもよい。
【００６０】
また、本実施の形態では、開閉装置４として、図４〜図１７に示す構成のものを用いたが、その他の構成のものを用いてもよいことはいうまでもない。要するに、この発明の開閉装置は、操作釦を操作することにより、第１、第２筐体１、２を予め定めた開放角度まで自動的に開放し係止する係止手段を有し、第１、第２筐体１、２が予め定めた開放角度まで開放された状態で、第１、第２筐体１、２に更に開放方向の力を加えることにより、第１、第２筐体１、２を予め定めた開放角度より大きな開放角度まで開放可能とするような構成であればよい。
【００６１】
【発明の効果】
以上説明したように、本発明の電子機器は、軸受部を介して互いに回動可能に連結された第１、第２の筐体を、予め定めた開放角度までは、自動的に開放し、そこで一旦係止し、また、この状態から更に大きな開放角度まで開放したい場合には、第１、第２の筐体に更に大きな開放角度まで開放する方向の力を加えることにより、更に大きな開放角度まで手動で開放可能となるように構成したものである。
また、押釦がアンテナ収納用の筒状部より側方に突出していないため、押釦を押圧操作することにより自動的に第２筐体２を開放させることができる構成であるにも関わらず、押釦を不用意に押圧して第２筐体が自動的に開放されるのを未然に防止する構成のものが簡単な構成で実現できるという利点を有する。
【００６２】
従って、本発明によれば、予め定めた開放角度を、電子機器を机上に置いて使用するのに適切な、例えば、１１５度から１３５度の開放角度に設定し、更に大きな開放角度を、例えば、携帯電話機の場合、それを直接口や耳に当てて使用するのに適切な１６０度から１８０度と任意に設定すれば、これらの場合に、いずれも最適な状態を得ることができ、使用者にとってより有用な電子機器とすることができるという利点を有する。
【図面の簡単な説明】
【図１】本発明の一実施の形態に係る携帯電話機を示す斜視図である。
【図２】同携帯電話機の要部拡大図である。
【図３】同携帯電話機の開放動作を説明する側面図である。
【図４】同携帯電話機に使用する開閉装置の要部斜視図である。
【図５】同開閉装置の分解斜視図である。
【図６】同開閉装置のカムの形状を示す要部断面図（カム線図）である。
【図７】同開閉装置の手による開閉動作における第１動作を示す要部断面図である。
【図８】同開閉装置の手による開閉動作における第２動作を示す要部断面図である。
【図９】同開閉装置の手による開閉動作における第３動作を示す要部断面図である。
【図１０】同開閉装置の手による開閉動作における第４動作を示す要部断面図である。
【図１１】同開閉装置の手による開閉動作における第５動作を示す要部断面図である。
【図１２】同開閉装置の押圧操作による自動開閉における第１動作を示す要部断面図である。
【図１３】同開閉装置の押圧操作による自動開閉における第２、第３動作を示す要部断面図である。
【図１４】同開閉装置の押圧操作による自動開閉における第５、第６動作を示す要部断面図である。
【図１５】同開閉装置の押圧操作による自動開閉における第７動作を示す要部断面図である。
【図１６】同開閉装置の押圧操作による自動開閉における第７動作を示す要部断面図である。
【図１７】同開閉装置の押圧操作による自動開閉における第８動作を示す要部断面図である。
【符号の説明】
１      第１の筐体（第1筐体）
１Ａ    筒状部
１１    キー
１２    送話器
１３    アンテナ
２      第２の筐体（第２筐体）
２１    表示器
２２    受話器
３      軸受部
４      開閉装置
４Ａ    開閉部
４Ｂ    押圧部
４０    可動ケース
４０Ａ  開口部
４０Ｂ  溝部
４１    可動体（第２のカム手段）
４１Ａ  突起部（係止部）
４２    摺動体（阻止手段）
４３    反転体（第１のカム手段）
４４    解除体
４５    固定体
４５Ａ  係合部
４５Ｂ  貫通孔
４６    解除軸
４７    操作ケース
４７Ａ  壁部
４８    操作体
４８Ａ  脚部
４９    押釦
５１    ばね（ばね手段）
５２    復帰ばね（ばね手段）
５３    操作復帰ばね
Ａ      可動カム（第２のカム手段）
Ａ１    先端部
Ｂ      固定カム（阻止手段）
Ｂ１    先端部
Ｂ２    傾斜部
Ｂ３    傾斜部
Ｂ１    先端部（係止部）
Ｃ      反転カム（第１のカム手段）
Ｃ１    傾斜部
Ｃ２    係止用凹部（阻止手段）
Ｃ３    凹部（阻止手段）
Ｄ      支持カム
Ｅ      解除カム
Ｆ      操作カム
Ｆ１    傾斜部
Ｇ      変換カム
Ｇ１    傾斜部
【図１】
0004205367.tif 000002
【図２】
0004205367.tif 000003
【図３】
0004205367.tif 000004
【図４】
0004205367.tif 000005
【図５】
0004205367.tif 000006
【図６】
0004205367.tif 000007
【図７】
0004205367.tif 000008
【図８】
0004205367.tif 000009
【図９】
0004205367.tif 000010
【図１０】
0004205367.tif 000011
【図１１】
0004205367.tif 000012
【図１２】
0004205367.tif 000013
【図１３】
0004205367.tif 000014
【図１４】
0004205367.tif 000015
【図１５】
0004205367.tif 000016
【図１６】
0004205367.tif 000017
【図１７】
0004205367.tif 000018